(57)【要約】【課題】    少ない部材による軽量で、組み立て分解がワンタッチ式に容易にでき、損傷した場合にもそのパーツのみを交換するだけで修復可能であり、廃棄処分する場合においてはＥＣＯ素材を使用しているので地球環境にやさしい、応用性のあるパレットユニットコンテナ組立体１を提供する。【解決手段】  二枚のパネルと複数のスペーサブロックとからパレットユニットを構成して、パレットとしての使用も可能であり、かつ、パレットユニット二組と四面の側壁板とにより、コンテナとして活用するほか、パネル部材の側壁板嵌入溝を滑り止め部材の嵌入溝として兼用することにより、ストック棚としての利用もできる多目的コンテナ組立体とする。【選択図】図１
2009096544.tif 000002
【特許請求の範囲】
【請求項１】
上下二枚のパネルとその上下パネル間に介在させる複数個のスペーサブロックから構成されるパレットユニット二組と四面の側壁板とを構成部材としたことを特徴とするコンテナ組立体。
【請求項２】
パレットユニットを構成する上下パネルは互いに同一の寸法・形状を有し、パネルの表面には各辺近傍に辺と平行した溝を形成し、パネルの裏面にはスペーサブロックを嵌め込む凹部を複数形成していることを特徴とする請求項１におけるコンテナ組立体。
【請求項３】
二組のパレットユニットのうち、下部パレットユニットの上面パネルの溝に四面の側壁板下端部を嵌入し、各側壁板の上端部を上部パレットユニットの下面に形成された溝に嵌合させて組み立てたことを特徴とする請求項１におけるコンテナ組立体。
【請求項４】
パレットユニットにおいて、スペーサブロックのひとつの面およびその反対側の面に面ファスナーを貼着し、パネルの凹部には前記面ファスナーと固着するように面ファスナーを貼着していることを特徴とする請求項１におけるコンテナ組立体。
【請求項５】
請求項１のコンテナ組立体の上面と下面の対向する両方の溝にゴム素材により溝の深さの１５０％〜２００％の高さに形成した滑り止め部材を嵌入することにより複数のコンテナ組み立て体を積み重ね、前方側壁板を左右いずれかの方向に溝に沿ってスライド抜き出し可能とした物品のストック棚。
【請求項６】
パネルおよび側壁板はペーパーハニカムコアを二枚の生分解性板状体で挟持した構成であることを特徴とする請求項１におけるコンテナ組立体。
【発明の詳細な説明】
【技術分野】
【０００１】  本発明は、組み立て・分解が容易なコンテナ組立体１であって、構成要素のひとつであるフォークリフト用のパレットユニット２も不使用時には分解保管することができ、かつコンテナ組立体１は複数の集合体を形成することにより、ストック棚１１としても活用できる多様性のあるコンテナ組立体１に関する。
【背景技術】
【０００２】  従来、パレットあるいはコンテナは一体型として製造されたり、特許文献１のように組立て式一体化製品であった。またプラスチック性の折り畳み式コンテナも各種考案されているが、各部材の結合部には金属製の釘・ビス等、留め金具が使用されてきた。（特許文献２、特許文献３）
【特許文献１】  実公平３−１３９３号公報
【特許文献２】  特開２０００−１０３４２７号公報
【特許文献３】  特開２００２−３３７９７９号公報
【発明の開示】
【発明が解決しようとする課題】
【０００３】  従来タイプのパレットおよびコンテナは、部分的に損傷・破損した場合には全体を取り替える必要があった。また、コンテナとして使用した後、空身で回収運搬する場合や、再使用までの保管スペースおよび最終的に廃棄処分する場合にもそのままの形では嵩張ることとなり厄介である。【０００４】  これらのパレット、コンテナ等は、素材としてプラスチックや金属を使用しているため、分解、破砕が容易でない上、廃棄する場合においても元の形状のまま、あるいは金属部分をそのまま残しておくこととなり環境汚染の要因となる。
【課題を解決するための手段】
【０００５】  前述のような種々の不都合な点を解消するため、分解可能なコンテナ組立体において、コンテナ組立体の構成要素であるパレットユニットも分解可能構造を採用して、コンテナ組立体の構成要素すべてがワンタッチ式の分解・組み立てが容易な構造とし、さらにこれらのすべてをＥＣＯ素材により構成するコンテナ組立体を提案することが本発明の意図するところである。
【発明の効果】
【０００６】  本発明のコンテナ組立体１およびコンテナ組立体１の構成要素であるパレットユニット２ともに分解・組み立てタイプであるため、不使用時の省スペース化が可能で、一部を破損した場合に対しても、不要となった破損部材のみの廃棄および破損部材のみの交換で対応でき、全体廃棄せずに無駄をなくすことができる。【０００７】  使用後の回収運搬時または保管時の省スペース化を図ることが可能で、さらに環境にやさしいＥＣＯ素材から成る分解可能構造のコンテナ組立体１を提案する。
さらに、廃棄する場合においても各部の素材として軽量・硬質材料である生分解性プラスチック素材、およびパネルのコア素材としてはペーパーハニカムコアを採用して、いずれもＥＣＯ素材から構成されているので、地球環境にやさしい。
生分解性素材としては経時的に、あるいは紫外線により、分解されるものが好ましい。本発明の構成素材の一例として炭酸カルシウムや珪酸マグネシウムを補強フィラーとして充填したポリ乳酸からなるプラスチックを採用することができる。ポリ乳酸はトウモロコシやサトウキビなどの植物由来のプラスチックで、その成長過程においては地球温暖化の原因となる二酸化炭素を吸収固定し、廃棄されて地中に埋められても微生物により分解され、焼却された場合においても有毒ガスを発生しない。【０００８】  本発明のパレットユニット部分２を構成する上下パネル４とスペーサブロック５とは面ファスナー６により固着しているので、ドライバー等の工具を使用せずに分解や取替えがワンタッチ式で容易にできる。【０００９】  さらに各部材については同一規格サイズに揃えるので、組み立て時にサイズ上の適合相手を選ばなくて良く、速やかな組み立てが可能であり、運搬物品を取り出すときにも蓋としての役割の上部パレットユニット２を取り外すだけでなく、場合によってはコンテナ組立体１を分解しながら収納物品を取り出すことができるので、きわめて能率的でもある。
【発明を実施するための最良の形態】
【００１０】（実施の形態）
本発明によるパレットユニット２およびそれにより構成されるコンテナ組立体１について、その実施の形態を図面に基づいて説明する。
本発明のコンテナ組立体１の分解斜視図を図１に示すように、二組のパレットユニット２と側壁板３とでコンテナ組立体１を構成する。この図において、正面の側平板３は図示を省略している。【００１１】  図２はパレットユニット２の斜視図で、上下二枚のパネル４とその上下パネル４間に介在させる複数個のスペーサブロック５から成る。
パレットユニット２の構成部材である同一の寸法・同一形状の上パネル４（天板）と下パネル４（底板）の各表面には各辺近傍に辺と平行した溝７を井桁を構成するように形成してある。【００１２】  両パネル４の裏面には図３に示すように９個の面ファスナー嵌め込み凹部８を形成し、これらの面ファスナー嵌め込み凹部８に面ファスナー６を貼着してある。スペーサブロック５の表裏両面には面ファスナー６を貼着して前記面ファスナー嵌め込み凹部８に嵌め込み固着をして、これらのスペーサブロック５を二枚のパネル部材４間にサンドイッチ状に挟んだ形で組み立ててパレットユニット２と成す。【００１３】  図４は図３におけるパレットユニット２のＡ−Ａ断面図であり、パレットユニット３あるいはコンテナ組立体１を運搬する時には、スペーサブロック５間に形成された空間部にフォークリフトアームを差し込むようにする。【００１４】  前述のようにして組み立てたパレットユニット２を二個使用して、上部パレットユニット２は下部パレットユニット２に対して表裏反転させて、溝７を形成したパネル４表面が互いに向き合うようにする。下部パレットユニット２の上面パネル４の溝７に四面の側壁板３を嵌入して箱形状の物品収納部を形成する。各側壁板３の上端部に上部パレットユニット２の下面に形成された溝７を嵌合させて蓋部分とし、コンテナ組立体１とする。【００１５】  側壁部は使用の各種態様により、一側面一枚の側壁板３を四枚使用、あるいは図５および図６に示すように、二側面に渡る長さの一枚板の中央部にＶカット溝９を形成し、このＶカット溝９の箇所を９０度に折り曲げて二側面をカバーする二側面用側壁板１０と、前記一側面一枚タイプの側壁板３との組み合わせを適宜採用することができる。【００１６】  前記コンテナ組立体１は運搬用として使用するだけでなく、複数のコンテナ組立体１を積み重ねて物品のストック棚１１としても活用できる（図７）。この場合、上下のコンテナ組立体１の横滑りを防止するために、ゴム素材により溝の深さの１５０％〜２００％の高さに形成した滑り止め部材１２を、互いに接している溝７に嵌入する。【００１７】  コンテナ組立体１をストック棚１１として使用する場合において、溝７に嵌入されている前面部の側壁板３を横方向にスライド開放することにより、中の収納物品を簡単に取り出す開閉戸としての役割も果たすこととなる。
【図面の簡単な説明】
【００１８】
【図１】本発明の分解斜視図である。
【図２】本発明のパレットユニットを示す図である。
【図３】パレット中間部を構成するスペースブロックの配置図である。
【図４】パレットユニットのＡ−Ａ断面図
【図５】Ｖカットを形成した２面用側壁板の展開平面図である。
【図６】Ｖカットを形成した２面用側壁板の端面図である。
【図７】コンテナユニットを応用したストック棚の斜視図である。
【符号の説明】
【００１９】１  コンテナ組立体
２  パレットユニット
３  側壁板
４  上パネル、下パネル
５  スペーサブロック
６  面ファスナー
７  溝
８  面ファスナー嵌め込み凹部
９  Ｖカット溝
１０  二側面用側壁版
１１  ストック棚
１２  滑り止め
【図１】
2009096544.tif 000003
【図２】
2009096544.tif 000004
【図３】
2009096544.tif 000005
【図４】
2009096544.tif 000006
【図５】
2009096544.tif 000007
【図６】
2009096544.tif 000008
【図７】
2009096544.tif 000009